(57)【特許請求の範囲】
【請求項１】
野地板に平板状の屋根材を重合式に敷設して成る屋根に屋根外設材を取り付ける屋根外設材の取付方法であって、新築時においては、屋根外設材の設置位置を決めて設置マークを付けその設置マークを基準に屋根材の割り付けを決定した後、前記設置マーク付近に位置する屋根材の側端部を屋根外設材の幅寸法に合わせて切断して切欠部を設け、その切欠部によって隣接する屋根材との間に形成された設置個所に前記屋根外設材を配設しその固定部を固着具により固定することを特徴とする屋根外設材の取付方法。
【請求項２】
野地板に平板状の屋根材を重合式に敷設して成る屋根に屋根外設材を取り付ける屋根外設材の取付方法であって、リフォーム時においては、既設の屋根材に屋根外設材の設置位置を決めて設置マークを付け、その設置マークを付けた屋根材の上段に位置する屋根材を所定の施工要領に従って抜き取った後、その抜き取りにより露出した前記設置マークを付けた屋根材の側端部を屋根外設材の幅寸法に合わせて切断して切欠部を設け、その切欠部によって隣接する屋根材との間に形成された設置個所に屋根外設材を配設しその固定部を固着具により固定し、抜き取った屋根材を所定の施工要領に従って復旧することを特徴とする屋根外設材の取付方法。
【請求項３】
前記屋根外設材の本体部の厚みは前記屋根材の厚みと合わせることを特徴とする請求項１又は請求項２に記載の屋根外設材の取付方法。
【請求項４】
野地板に平板状の屋根材を重合式に敷設して成る屋根に屋根外設材を取り付ける屋根外設材の取付方法であって、前記屋根外設材は取付金具と横桟木状部材から構成され、新築時においては、前記取付金具の設置位置を決めて設置マークを付けその設置マークを基準に屋根材の割り付けを決定した後、前記設置マーク付近に位置する屋根材の側端部を前記取付金具の幅寸法に合わせて切断して切欠部を設け、その切欠部によって隣接する屋根材との間に形成された設置個所に前記取付金具を配設しその固定部を固着具により固定し、このように固定された少なくとも２個の前記取付金具に亘り前記横桟木状部材を連結させて設置することを特徴とする屋根外設材の取付方法。
【請求項５】
野地板に平板状の屋根材を重合式に敷設して成る屋根に屋根外設材を取り付ける屋根外設材の取付方法であって、前記屋根外設材は取付金具と横桟木状部材から構成され、リフォーム時においては、既設の屋根材に前記取付金具の設置位置を決めて設置マークを付け、その設置マークを付けた屋根材の上段に位置する屋根材を所定の施工要領に従って抜き取った後、その抜き取りにより露出した前記設置マークを付けた屋根材の側端部を前記取付金具の幅寸法に合わせて切断して切欠部を設け、その切欠部によって隣接する屋根材との間に形成された設置個所に前記取付金具を配設しその固定部を固着具により固定し、このように固定された少なくとも２個の前記取付金具に亘り前記横桟木状部材を連結させて設置し、抜き取った屋根材を所定の施工要領に従って復旧することを特徴とする屋根外設材の取付方法。
【請求項６】
前記取付金具の本体部の厚みは前記屋根材の厚みと合わせるように形成し、前記横桟木状部材の屋根材と接する側の下面に当該横桟木状部材の幅方向に沿って排水用溝が形成されていることを特徴とする請求項４又は請求項５に記載の屋根外設材の取付方法。
【発明の詳細な説明】
【技術分野】
【０００１】
本発明は、野地板に平板状の屋根材を重合式に敷設して成る屋根に屋根外設材を取り付ける屋根外設材の取付方法に関するものである。
【背景技術】
【０００２】
屋根上に、ソーラーパネル設置用架台、大型雪止め用架台、屋根上設置物架台、照明器具設置用架台等を設置するための屋根架台用金具を取り付けたり、雪止め金具を取り付けたりする場合、この金具類（以下、「屋根外設材」という。）を屋根上に強固に取り付けるためには屋根の部分的な工事が必要となる。従来の固定方法によると、スレート等の屋根材に釘等の固着具を貫通させて屋根外設材を固定する方法が考えられているが、スレート等の屋根材に貫通穴があいている状態であるため、雨天時において貫通穴より雨水が侵入し長期の使用において野地板が損傷するという問題があった。このような課題を解決するため、以下に示すような様々な発明が提案されている。
【０００３】
特開平９−１８４２６４号公報（特許文献１）には、雨水の侵入しない太陽電池モジュールの屋根取付け方法を提供することを目的とし、スレートで葺かれた屋根に固定金具とスレート下部の屋根部材とをスレートに形成された貫通穴を介して繋止部材で固定する太陽電池モジュールの屋根取付け方法において、覆い板を前記固定金具の繋止部を覆うように設置し、覆い板の一端を前記スレートの重なり部に差し込むことにより覆い板を固定したことを特徴とする「太陽電池モジュールの屋根取付け方法」が提案されている。
【０００４】
特開平８−１４４４５３号公報（特許文献２）には、重合式の既設屋根に対する雪止め金具や太陽電池の支持金具等の外設材の取付作業を容易にすると共に取付部分の防水性を確保することを目的とし、屋根下地上に重合式の屋根材を敷設した既設屋根に外設材を取り付ける外設材の取付方法であって、外設材の取付箇所となる屋根材の裏面に、シール性を有する板状部材を配したのち、前記板状部材を配した屋根材上に外設材の固定部を配したうえで、この固定部を、固着具によって、固定部、屋根材、板状部材を貫通して下地上に固定することを特徴とする「屋根の外設材の取付方法」が提案されている。
【０００５】
特開２００６−５２５２９号公報（特許文献３）には、屋根固定金具を屋根上に固定するために木ねじや釘で瓦材に穴を開けても、そこに雨水が侵入せず、風雨による吹込みによる侵入にも対応し、雨水によって屋根の腐食などを引き起こさず、しかも施工が簡単で熟練を要さない屋根設置架台の防水構造を提供することを目的とし、傾斜した屋根の上に太陽光利用機器を設置する屋根設置架台を配設し、この屋根設置架台により太陽光利用機器を固定した太陽光利用システムであって、前記屋根設置架台は、低部カバー体と貫通穴を有した上部カバー体とを備える防水カバーと、この防水カバーを屋根の上に設置する固定手段とから成り、この固定手段は、板状体と、この板状体を前記屋根に固定する棒状支持部と、上部カバー部の上面に対し押圧すべく、前記貫通穴に通した上記棒状支持部に取付けた締付部材とから成り、さらに前記低部カバー体に対し、屋根上を流下する雨水のうち、前記板状体に向かう分を阻止すべく、止水路を形成したことを特徴とする「太陽光利用システム」が提案されている。
【先行技術文献】
【特許文献】
【０００６】
【特許文献１】特開平９−１８４２６４号公報
【特許文献２】特開平８−１４４４５３号公報
【特許文献３】特開２００６−５２５２９号公報
【発明の概要】
【発明が解決しようとする課題】
【０００７】
しかしながら、上述した発明では、従来の固定方法と同様にスレート等の屋根材に貫通穴があいている状態であることには変わりはない。従って、貫通穴からの雨水の侵入を防止して防水性を持たせるためには、固定金具とは別個に覆い板、シール性を有する板状部材、防水カバーを備えておく必要がある。
そこで、本発明の第１課題は、従来の固定方法とは異なりスレート等の屋根材に貫通穴を設けることなく且つシーリング等による防水を不要とし、新築時又はリフォーム時のいずれにも対応することができ、取付施工が容易で屋根材の踏み割れリスクも低減することができる屋根外設材の取付方法を提供することを目的とする。
また、本発明の第２課題は、屋根外設材の下の屋根材に集中する荷重の分散化を図り、大型架台を設置した場合でも屋根材が割れるリスクを回避することができる屋根外設材の取付方法を提供することを目的とする。
【課題を解決するための手段】
【０００８】
上記の第１課題を解決するために、請求項１に記載の発明は、野地板に平板状の屋根材を重合式に敷設して成る屋根に屋根外設材を取り付ける屋根外設材の取付方法であって、新築時においては、屋根外設材の設置位置を決めて設置マークを付けその設置マークを基準に屋根材の割り付けを決定した後、前記設置マーク付近に位置する屋根材の側端部を屋根外設材の幅寸法に合わせて切断して切欠部を設け、その切欠部によって隣接する屋根材との間に形成された設置個所に前記屋根外設材を配設しその固定部を固着具により固定することを特徴とする。これにより、新築時において、スレート等の屋根材に貫通穴を設けることなく且つシーリング等による防水を不要とし、屋根外設材を屋根上に強固に取り付けることができる。
【０００９】
また、請求項２に記載の発明は、野地板に平板状の屋根材を重合式に敷設して成る屋根に屋根外設材を取り付ける屋根外設材の取付方法であって、リフォーム時においては、既設の屋根材に屋根外設材の設置位置を決めて設置マークを付け、その設置マークを付けた屋根材の上段に位置する屋根材を所定の施工要領に従って抜き取った後、その抜き取りにより露出した前記設置マークを付けた屋根材の側端部を屋根外設材の幅寸法に合わせて切断して切欠部を設け、その切欠部によって隣接する屋根材との間に形成された設置個所に屋根外設材を配設しその固定部を固着具により固定し、抜き取った屋根材を所定の施工要領に従って復旧することを特徴とする。これにより、リフォーム時において、スレート等の屋根材に貫通穴を設けることなく且つシーリング等による防水を不要とする。
【００１０】
また、請求項３に記載の発明は、請求項１又は請求項２に記載の前記屋根外設材の本体部の厚みは前記屋根材の厚みと合わせることを特徴とする。
【００１１】
上記の第２課題を解決するために、請求項４に記載の発明は、野地板に平板状の屋根材を重合式に敷設して成る屋根に屋根外設材を取り付ける屋根外設材の取付方法であって、前記屋根外設材は取付金具と横桟木状部材から構成され、新築時においては、前記取付金具の設置位置を決めて設置マークを付けその設置マークを基準に屋根材の割り付けを決定した後、前記設置マーク付近に位置する屋根材の側端部を前記取付金具の幅寸法に合わせて切断して切欠部を設け、その切欠部によって隣接する屋根材との間に形成された設置個所に前記取付金具を配設しその固定部を固着具により固定し、このように固定された少なくとも２個の前記取付金具に亘り前記横桟木状部材を連結させて設置することを特徴とする。これにより、新築時において、スレート等の屋根材に貫通穴を設けることなく且つシーリング等による防水を不要とし、取付金具を屋根上に強固に取り付けることができる。さらに、横桟木状部材を併用することにより取付金具の下の屋根材に集中する荷重の分散化を図り、大型架台を設置した場合でも屋根材が割れるリスクを回避することができる。
【００１２】
また、請求項５に記載の発明は、野地板に平板状の屋根材を重合式に敷設して成る屋根に屋根外設材を取り付ける屋根外設材の取付方法であって、前記屋根外設材は取付金具と横桟木状部材から構成され、リフォーム時においては、既設の屋根材に前記取付金具の設置位置を決めて設置マークを付け、その設置マークを付けた屋根材の上段に位置する屋根材を所定の施工要領に従って抜き取った後、その抜き取りにより露出した前記設置マークを付けた屋根材の側端部を前記取付金具の幅寸法に合わせて切断して切欠部を設け、その切欠部によって隣接する屋根材との間に形成された設置個所に前記取付金具を配設しその固定部を固着具により固定し、このように固定された少なくとも２個の前記取付金具に亘り前記横桟木状部材を連結させて設置し、抜き取った屋根材を所定の施工要領に従って復旧することを特徴とする。これにより、リフォーム時において、スレート等の屋根材に貫通穴を設けることなく且つシーリング等による防水を不要とする。さらに、横桟木状部材を併用することにより取付金具の下の屋根材に集中する荷重の分散化を図ることができる。
【００１３】
また、請求項６に記載の発明は、請求項４又は請求項５に記載の前記取付金具の本体部の厚みは前記屋根材の厚みと合わせるように形成し、前記横桟木状部材の屋根材と接する側の下面に当該横桟木状部材の幅方向に沿って排水用溝が形成されていることを特徴とする。
【発明の効果】
【００１４】
以上のように、本発明にかかる屋根外設材の取付方法によれば、屋根材の側端部を屋根外設材又は取付金具の幅寸法に合わせて切断して切欠部を設け、その切欠部によって隣接する屋根材との間に形成された設置個所に屋根外設材又は取付金具を配設してその固定部を固着具により固定するようにしたので、新築時又はリフォーム時において、スレート等の屋根材に貫通穴を設けることなく且つシーリング等による防水を不要とし、屋根外設材又は取付金具を屋根上に強固に取り付けることができる。
【００１５】
また、本発明によれば、屋根外設材又は取付金具の本体部の厚みを屋根材の厚みと合わせるようにしたので、屋根外設材又は取付金具の設置箇所の上段に位置する屋根材が浮き上がることがないため屋根材の踏み割れリスクを低減することができる。
【００１６】
また、横桟木状部材を併用することにより、取付金具の下の屋根材に集中する荷重の分散化を図り、大型架台を設置した場合でも屋根材が割れるリスクを回避することができる。さらに、取付金具の設置の自由度が増えるため、作業の簡素化を図ることができる。
【図面の簡単な説明】
【００１７】
【図１】屋根材を敷設した屋根の一例を示す説明図である。
【図２】屋根材を抜き取った状態を示す説明図である。
【図３】屋根材の側端部を切断した状態を示す説明図である。
【図４】屋根外設材を固定した状態を示す説明図である。
【図５】屋根材を復旧した状態を示す説明図である。
【図６】屋根外設材の一例を示す正面図である。
【図７】図６の屋根外設材の側面図である。
【図８】横桟木状部材を併用する屋根外設材の一例を示す斜視図である。
【図９】図８の屋根外設材の側面図である。
【図１０】図８の横桟木状部材の底面図である。
【図１１】横桟木状部材の他例を示す説明図である。
【図１２】図１１の横桟木状部材の底面図である。
【発明を実施するための形態】
【００１８】
以下、本発明の実施の一形態について図面を参酌しながら説明する。
本実施例では、屋根外設材の一例として屋根架台用金具の取付方法について説明するが、本発明に使用できる屋根外設材としては屋根に設置される雪止め金具等の金具類も含まれる。また、本実施例では、リフォーム時における取付方法の一例を説明するが、本発明は新築時においても一部の作業内容を変更すれば容易に適用できることは明らかであるため、新築時の実施例の説明については省略する。
【００１９】
（第１実施例）
図１は屋根材を敷設した屋根の一例を示す説明図である。屋根Ａには、野地板１０の軒先部よりルーフィング（図示せず）を介して第１列目の屋根材１１を複数横方向に並べて配設し、第１列目の屋根材の上側に第２列目の屋根材１１を複数横方向に並べて配設し、第２列目の屋根材１１の上側に第３列目の屋根材１１を複数横方向に並べて配設し、更に順次配設することにより屋根材１１が重合式に敷設されている。この屋根材１１は、例えばカラーベスト等の平板状のタイプのものから構成され、横方向の長さは例えば約９１０ｍｍに構成されている。
【００２０】
リフォーム時においては、以下に示す施工手順で屋根外設材を取り付ける。
（１）既設の屋根材１１に屋根外設材Ｂの設置位置を決めて設置マークを付ける。
ここで、屋根外設材の一例について図６及び図７を参酌しながら説明する。図に示すように、屋根外設材Ｂは、本体部２０と支持部２１と固定部２３から構成される。屋根外設材Ｂの本体部２０の厚みは、屋根材１１の厚み（例えば５ｍｍ）と合わせておくことが好ましい。本体部２０に曲げ強度を補完するためのリブ形状（図示省略）を形成した場合には、同リブの高さを屋根材１１の厚みと同様に合わせておく。このように厚みを合わせておくことにより、設置後に屋根材１１の踏み割れリスクを低減することができる。屋根外設材Ｂの下端部には、所定の架台を固定するのに用いる取付孔２２を備えた支持部２１が形成されている。一方、屋根外設材Ｂの上端部には、釘孔２４を備えた固定部２３が形成されている。
（２）その設置マークを付けた屋根材１１の上段に位置する屋根材１１を所定の施工要領に従って抜き取る（図２参照）。
例えば、破損した屋根材を差し替える際に使用するスレーターズリッパーを用いて屋根材を引き抜く方法が一般的に行われている。抜き取った屋根材１１は、屋根外設材Ｂの設置後に戻すため保管しておく。
（３）その抜き取りにより露出した設置マークを付けた屋根材１１の側端部を屋根外設材Ｂの幅寸法に合わせて切断して切欠部を設ける（図３参照）。
ここで、切断する際、下部にあるルーフィングを傷つけないようにするため、屋根材１１の下に養生板等を挿入しサンダー等で切り取るのが好ましい。
（４）その切欠部によって隣接する屋根材１１との間に形成された設置個所１２に屋根外設材Ｂを配設し、その固定部２３を釘等の固着具により固定する（図４参照）。
その際、屋根外設材Ｂの下端と切断した屋根材１１の下端を揃えておくことが好ましい。
（５）抜き取った屋根材１１を所定の施工要領に従って復旧する（図５参照）。
（６）以降、上記（１）〜（５）の作業手順を設置マークを付けた箇所において繰り返し施工する。
【００２１】
次に、本発明の改良に係る実施の形態について図面を参酌しながら説明する。
本実施例では、屋根外設材の下の屋根材に集中する荷重の分散化を図るために、屋根外設材が取付金具と横桟木状部材から構成される点に特徴を有する。ここで、屋根に設置する取付金具の取付方法については、上述した第１実施例の屋根外設材の取付方法と同様であり、この取付金具に連結される横桟木状部材の取付工程が追加された改良部分となる。以下、取付金具と横桟木状部材の具体例について説明する。
【００２２】
（第２実施例）
取付金具と横桟木状部材から構成される屋根外設材の一例について図８乃至図１０を参酌しながら説明する。図８は横桟木状部材を併用する屋根外設材の一例を示す斜視図、図９は図８に示す屋根外設材の側面図である。
屋根外設材Ｃの取付金具３０は、本体部３１と支持部３２と固定部３３から構成される。取付金具３０の本体部３１の厚みは、屋根材の厚み（例えば５ｍｍ）と合わせておくことが好ましい。本体部３１に曲げ強度を補完するためのリブ形状（図示省略）を形成した場合には、同リブの高さを屋根材の厚みと同様に合わせておく。このように厚みを合わせておくことにより、設置後に屋根材の踏み割れリスクを低減することができる。取付金具３０の下端部には、横桟木状部材４０を支持する（屋根流れ方向にかかる力を留める）ために用いる支持部３２が形成されている。一方、取付金具３０の上端部には、釘孔３４を備えた固定部３３が形成されている。
図８に示すように、横桟木状部材４０は、屋根に固定された少なくとも２個の取付金具３０に亘り連結させて設置され、屋根材にかかる荷重を分散するようにしている。これにより、大型架台を設置した場合でも屋根材が割れるリスクを回避することができる。
横桟木状部材４０の底面部には、図１０に示すように、取付金具３０に連結する連結部４１と、横桟木状部材４０の幅方向に沿って多数の排水用の溝部４２（四角形状）が形成されている。また、取付金具３０の本体部３１の厚みが屋根材の厚みよりも大きい場合でも、連結部４１に形成された凹部により取付金具３０の本体部３１に直接荷重がかかることはない。
横桟木状部材４０は、例えば、最短長さ１ｍの横桟木状の鋼材を採用することができるが、長さ及び材質はこれらに限定されるものではない。このように、横桟木状部材４０を併用することで屋根材にかかる荷重が分散される。また、取付金具の設置位置は屋根水平方向に対し概ね４５５ｍｍ〜５００ｍｍ間隔で設けられている垂木上に限定されず、設置位置の自由度が増えることから作業の簡素化が図られる。
【００２３】
図１１は横桟木状部材の他例を示す説明図、図１２は図１１の横桟木状部材の底面図である。
横桟木状部材５０は、上述した実施例と同様に屋根に固定された少なくとも２個の取付金具３０に亘り連結させて設置され、屋根材にかかる荷重を分散するものである。
横桟木状部材５０の底面部には、図１１及び図１２に示すように、取付金具３０に連結する連結部５１と、横桟木状部材５０の幅方向に沿って多数の排水用の溝部５２（波型形状）が形成されている。また、上述した実施例と同様に取付金具３０の本体部３１の厚みが屋根材の厚みよりも大きい場合でも、連結部５１に形成された凹部により取付金具３０の本体部３１に直接荷重がかかることはない。
なお、横桟木状部材の底面部に形成される排水用の溝部の形状は、上述した四角形状、波型形状に限定されるものではない。
【符号の説明】
【００２４】
Ａ  屋根
Ｂ  屋根外設材
Ｃ  屋根外設材
１０  野地板
１１  屋根材
１２  設置個所
２０  本体部
２１  支持部
２２  取付孔
２３  固定部
２４  釘孔
３０  取付金具
３１  本体部
３２  支持部
３３  固定部
３４  釘孔
４０  横桟木状部材
４１  連結部
４２  溝部
５０  横桟木状部材
５１  連結部
５２  溝部
【図１】
0005601923.tif 000002
【図２】
0005601923.tif 000003
【図３】
0005601923.tif 000004
【図４】
0005601923.tif 000005
【図５】
0005601923.tif 000006
【図６】
0005601923.tif 000007
【図７】
0005601923.tif 000008
【図８】
0005601923.tif 000009
【図９】
0005601923.tif 000010
【図１０】
0005601923.tif 000011
【図１１】
0005601923.tif 000012
【図１２】
0005601923.tif 000013